(57)【要約】      （修正有）【課題】キュービクル式高圧受電設備などの筐体を構成する柱部材に容易に取り付けられるパネル部材の取付け構造を提供する。【解決手段】キュービクル式高圧受電設備などの筐体を構成する柱部材３に取り付けるパネル部材の取付け構造であって、柱部材３に敷設された取り付け用部材に対向するパネル部材の少なくとも上方の一端には大円と小円とが接して形成されるだるま孔２が穿設され、また上方の他端には大円と横長楕円とが接して形成された変形だるま孔５が穿設される。そのため、柱部材間の距離や取り付け部材の位置が変化しても、容易にパネル部材を取り付けできるという効果を有する。【選択図】図１
0003146865.tif 000002
【実用新案登録請求の範囲】
【請求項１】
キュービクル式高圧受電設備などの筐体を構成する柱部材に取り付けるパネル部材の取付け構造であって、前記柱部材に敷設された取り付け用部材に対向するパネル部材の少なくとも上方の一端には大円と小円とが接して形成されるだるま孔が穿設され、また上方の他端には大円と横長楕円とが接して形成された変形だるま孔が穿設されたことを特徴とするパネル部材の取付け構造。
【考案の詳細な説明】
【技術分野】
【０００１】
本考案は、パネル部材の取付け構造であって、とくにキュービクル式高圧受電設備などの筐体を構成する柱部材に取り付けるパネル部材の取付け構造に関するものである。
【背景技術】
【０００２】
従来よりキュービクル式高圧受電設備には、図２に示すように箱状のキュービクル筐体１０内に、変圧器、高圧負荷開閉器などの配電設備が設置されており、これらの配電設備の点検や検査の際に感電事故等を防止するために、プラスチックや金属製の板からなる安全パネル１が設置されている。またこれらの安全パネル１は必要に応じて、取り外し可能とされている。
【０００３】
安全パネル１は、その上方または下方の所定の位置に取り付け用の穴（だるま孔）２が穿設されており、筐体１０を構成する柱部材３を横方向に連結する横渡し金具４にボルトを介して取り付けられている。この際、安全パネル１の取り付け用の孔２と横渡し金具４のボルト取付用孔位置は、予め同時に穿設されるため、安全パネル１の取付け及び取り外しは何ら問題がなかった。
【０００４】
ところが、キュービクル筐体１０から変圧器などの配電設備を入替えする際には、上記の横渡し金具４を取り外して作業を行なう必要があり、この横渡し金具４を使用せずに柱部材３に安全パネル１を直接取り付ける方法がとられている。
【０００５】
キュービクル筐体１０の柱部材３は通常は溶接によって組立てられるため、キュービクル筐体１０内に設置する配電設備の重量や、移動時の歪みなどで柱部材３に設けたボルト等の取付部材の位置が微妙に変化し、安全パネル１に穿設された孔２と合わない場合があった。そのため取付部材の位置に合わせて安全パネルを加工し直すか、取付孔の修正を行なう必要があった。
【０００６】
そこで、一つまたは複数個の取付片の一端を９０度の範囲で回転可能に取り付け、該取り付け片の他端側に壁に取り付けたビスを挿通させる取り付け孔を形成した筐体の取り付け構造が提案されている。
【０００７】
【特許文献１】特開平０８−８５４３号公報
【考案の開示】
【考案が解決しようとする課題】
【０００８】
しかしながら、上記特許文献１に提案されている技術は、だるま孔型の取り付け孔を有する取付片を回転可能にしたものであり、取り付けるビスの位置が変化しても対応可能なものであるが、部品点数が増えるためコストアップとなるという問題があった。
【０００９】
上記の問題点に鑑み本考案者は、通常使用されているだるま孔を変形して穿設することによって、安全カバーなどのパネルの取り付けを容易にするパネル部材の取付け構造を提供するに至った。
【課題を解決するための手段】
【００１０】
このため、本発明のパネル部材の取付け構造は、キュービクル式高圧受電設備などの筐体を構成する柱部材に取り付けるパネル部材の取付け構造であって、前記柱部材に敷設された取り付け用部材に対向するパネル部材の少なくとも上方の一端には大円と小円とが接して形成されるだるま孔が穿設され、また上方の他端には大円と横長楕円とが接して形成された変形だるま孔が穿設されたことを特徴とする。
【考案の効果】
【００１１】
本考案に係るパネル部材の取付け構造によれば、柱部材に敷設された取り付け用部材に対向するパネル部材の少なくとも上方の一端には大円と小円とが接して形成されるだるま孔が穿設され、また上方の他端には大円と横長楕円とが接して形成された変形だるま孔が穿設されているため、柱部材間の距離や取り付け部材の位置が変化しても、容易にパネル部材を取り付けできるという効果を有する。
【００１２】
しかも、キュービクル筐体の増設や筐体内の変圧器などの機器の搬入及び搬出の際に、予め横渡し金具などを取り外す作業を必要としないため、作業性に優れるという効果を有する。
【考案を実施するための最良の形態】
【００１３】
以下、本考案を実施例を示す図面を参照しながら説明するが、本考案が本実施例に限定されないことは言うまでもない。図１は、本考案のパネル部材の取付け構造一実施例を示す説明図、図２は従来のパネル部材の取付け構造を示す説明図である。
【実施例】
【００１４】
図１に示すように、本考案のパネル部材の取付け構造は、プラスチック或いは金属製のパネル１の上方一端に穿設されただるま孔２と、他端に穿設された変形だるま孔５とから構成され、キュービクル筐体１０の柱部材３にそれぞれ取り付けられたそで金具６とボルト７を介して取り付け自在とされている。
【００１５】
変形だるま孔５は、大円部５ａと横長楕円部５ｂとが接した形状であり、そで金具６に取り付けられたボルト７にパネル１を挿入する際に、この大円部５ａを介して横長楕円部５ｂに移動することによって容易に取付できる。この際、予め一端側のだるま孔２にボルト７を挿入することで作業性が向上する。
【００１６】
だるま孔２と変形だるま孔５は、パネル１の上方だけでなく、下方に夫々穿設されてもよく、パネル１の材質によって適宜選択されて使用される。
【００１７】
上記の構成によるパネル部材の取付け構造によれば、パネル部材の上方にだるま孔と変形だるま孔をそれぞれ穿設することによって、キュービクル筐体の柱部材に敷設された取り付け用部材との取付け作業が容易となる。しかも、柱部材の歪みなどがあってもパネル部材の孔を再度加工する必要もない。
【００１８】
以上の構成からなる、本考案のパネル部材の取付け構造は、柱部材に敷設された取り付け用部材に対向するパネル部材の少なくとも上方の一端には大円と小円とが接して形成されるだるま孔が穿設され、また上方の他端には大円と横長楕円とが接して形成された変形だるま孔が穿設されているため、柱部材間の距離や取り付け部材の位置が変化しても、容易にパネル部材を取り付けできる。
【図面の簡単な説明】
【００１９】
【図１】本考案に係るパネル部材の取付け構造の一実施例を示す説明図である。
【図２】従来のパネル部材の取付け構造を示す説明図である。
【符号の説明】
【００２０】
１              パネル
２              だるま孔
３              柱部材
４              横渡し金具
５              変形だるま孔
６              そで金具
７              ボルト
１０              キュービクル筐体
【図１】
0003146865.tif 000003
【図２】
0003146865.tif 000004